(57)【要約】      （修正有）【課題】視力回復・改善のトレーニング装置として、内眼筋（毛様体筋）と外眼筋（上・下直筋、内・外側直筋、上・下斜筋）に対するトレーニングができ、かつ、患者と検査者の関係でなく、自宅等でいつでも自分の好きな時に簡単に利用できる装置はできないかと考え、その装置を考案すること。【解決手段】水平面内で９０度回転する部材に支持され垂直面内を揺動するガイドバー上にモータにより往復移動する指標を備え、移動する指標を目線で追うことにより、１．左右水平、２．右斜め上から左斜め下方向、３．左斜め上から右斜め下方向、４．目線の上下方向、更に、ガイドバーを片手で保持し、ガイドバー端部からガイドバーの長手方向に移動する指標を追うことにより、特別の眼支持部材を必要とすること無く５．遠近方向、の眼筋トレーニングができる装置を考案した。同時に、ポータブルな形状で家庭や職場でいつでも利用できる装置とすることができた。【選択図】図１１
2005329185.tif 000002
【特許請求の範囲】
【請求項１】
水平面内で９０度回転する部材に支持され垂直面内を揺動するガイドバーに往復移動する指標を備え、１．左右水平方向、２．右斜め上から左斜め下方向、３．左斜め上から右斜め下方向、４．目線の上下方向、５．遠近方向  の５方向に対して眼筋トレーニングができることを特徴とする視力回復装置。
【請求項２】
小型電動機をガイドバーに直付けし、ポータブルで卓上タイプとして利用することを特徴とする請求項１の装置。
【発明の詳細な説明】
【発明の詳細な説明】
【技術分野】
【０００１】  この発明は、眼筋の機能の衰えにより視力が低下した人の視力回復のための視力回復トレーニング装置に関するものである。
【背景技術】
【０００２】  これまでの視力回復トレーニング装置の構造を見ると、遠近方向のトレーニングが主体となっており、眼筋の中でも内眼筋の毛様体筋の調節機能回復にねらいが絞られている。
また、トレーニングに際し、患者は装置が設置されている特定の場所に出向いて、患者と検査者という関係の中で訓練が行われるので、必然的に時間と場所と使用上の制約を受ける。
【特許文献１】特開昭６０−０４８７４３号公報
【特許文献２】特開平６−３３９５０１号公報
【特許文献３】特開２００１−６１９１７号公報
【発明が解決しょうとする課題】
【０００３】  眼球自体には視力調整機能の低下以外に特別な疾患も無く、眼科に行けば視力検査で適当な度のめがねを勧められるだけで、肝心の視力回復の為の治療が得られない。昨今特別な施設に行けば、それなりのトレーニングを受けることも可能であるが、なかなか時間的な問題や経済的な問題で継続利用が困難であったり、あるいは最初から躊躇してあきらめる。このことは発明者自身の体験でもあり、今回の考案を申請するに至った動機でもある。
発明者は、例えば、腕や肩の筋肉が凝ってくると筋肉自体の伸びが悪くなり腕や首の動きが妨げられることがあるのと同じように、外眼筋の硬直化もなにがしか視力に悪影響を与えるのではないだろうか、との疑問を持っており、従って、課題として次の２点を挙げる。
１．  視力回復トレーニングの対象として、外眼筋（上・下・内・外側直筋、上・下斜筋）の運動機能にも着目し、これら外眼筋の硬直化をほぐすことも兼ねたトレーニング装置ができないか？
２．  自宅でいつでも自分の好きな時に簡単に利用できる装置ができないか？
【課題を解決するための手段】
【０００４】  受け台に支持され、正面垂直面内をシーソーのように動かすことが可能なガイドバーに往復移動する指標を備え、ガイドバー手前のアゴ受けに顎を乗せ、顔が左右に振れないよう自己チェックのために設けた鼻当てに鼻先を当てて指標を目線で追うことにより、１．左右水平方向、２．右斜め上から左斜め下方向、３．左斜め上から右斜め下方向、のトレーニングを可能とし、ガイドバーやアゴ受け用受け台ごと水平面内で９０度回転する機構を備えることで、４．ガイドバーを最大に傾けた状態で目線の上下方向のトレーニングをできるようにした。これらにより、外眼筋（内・外側直筋、上・下斜筋、上・下直筋）にも定量的な反復運動を与えられるトレーニング装置を考案することができた。このとき、同時に内眼筋である毛様体筋もトレーニングしているわけであるが、更に、ガイドバーの端部形状の工夫により、特別の眼支持部材を必要とすることもなく遠近方向のトレーニングも可能にすることができた。
【０００５】  指標の移動には小型電動機（以下「モータ」と称す）を採用し、ガイドバー側面に直付けした。
【０００６】  指標を取付けるスライダを牽引するストリングにはバトミントン専用のストリングを採用した。両先端をカシメて固定し、ストリングの張りも２個のリールを組み合わせて使用することで適度な張りを与え、経年的なゆるみが発生しても再調整ができるよう、スプリングピン３本で２個のリールを位置決め固定できるよう工夫した。
【０００７】  ガイドバーの長さは、装置の支柱部にレベル調整機能を持たせ、かつ、卓上で搖動させて使用することを考慮し、１ｍ弱の長さとした。更に長いガイドバーの採用は、本装置を床から立てるスタンド型にすることで可能ではあるが、長さが短い分、指標の形やガイドカバー表面に細い線を入れることで、視力低下の程度が軽く短い長さでは頼りないと感じる人にもトレーニングの意欲が引き出せるよう配慮した。
【発明の実施形態】
【０００８】  本装置の外形図を図１に示す。本装置の使用法は、１．左右水平方向、２．右斜め上から左斜め下方向、３．左斜め上から右斜め下方向のトレーニングを行うときには、図１右図の要領でアゴ受け４１に顎を乗せて行い、目線の上下方向のトレーニングでは図２の要領、遠近方向では図３の要領で、指標１７を目線で追うことにより実施できる。本発明の主な構成は、脚部、支柱部、受け台部、ガイドバー部からなり、以下に詳細を記述する。
【０００９】  脚部には、図４及び図９に示すように、脚１の下には装置を安定して設置するためのアジャスタ４４を備え、脚１に埋め込まれたナガナット４３とで装置設置時の傾きの調整ができる。脚１中央部には下部支柱２を取り付けるための座を有し、中心部及び後方には電気ケーブル配線のための空間を有す。脚１後方上面には、操作箱６６を取り付け、トレーニング中、指標１７を見ながら右手で方向切替スイッチ７１を、左手でスピード調整つまみ７０を操作できる。
【００１０】  支柱部は、図４に示すように、椅子に着席した状態でトレーニングが楽な姿勢でできるよう、装置の向きを維持したまま受け台１０のレベル調整が可能なようにした。下部支柱２，上部支柱３，レベルアジャスタ４、案内キー７を有し、ターンバックル方式でレベルアジャスタ４を回して調整する。調整後は、ロックナット５及びロックナット左６により固定できる。案内キー７はあらかじめスプリングピン４２で下部支柱２に取付けて組み込まれる。
上部支柱３の上部にはプランジャ３７を有し、受け台１０を９０度回転するときの受け台部との隙間の保持と９０度回転位置の割り出しに使用する。上部支柱３の上端部は、９０度回転時のストッパ用爪の機能も有している。上部支柱３は接続座ロックナット８により受け台部の接続座９に取り付けられる。支柱部内部はケーブル配線のため中空になっている。
【００１１】  受け台部は図４に示すように、下面に接続座９と９０度回転割出し用のリテイナープレートＢ３９を有し、上面には支点１１、アゴ受け４１軸受Ａ１２、軸受Ｂ１３、ガイドバー１４の角度割出し用リテイナプレートＡ３８及び鼻当て４０を備えている。接続座９には上部支柱３と接続するための接続座ロックナット８との結合用ネジを備え、９０度回転時には上部支柱３の爪を受け止める構造的なストッパを設けている。
アゴ受け４１と鼻当て４０は取外し可能で、レベル調整等必要に応じ交換できる。アゴ受け４１には、着脱可能なクッション５７が取付けられ、トレーニング中のアゴ部の負担を軽減している。アゴ受け交換時には取外して新しいアゴ受けに再使用できる。
受け台部も支点１１の中心部とその下部の部品は電気ケーブル配線のため中空にしている。支点１１の背面にも背後からの配線用に穴を設けている。
【００１２】  ガイドバー部は、ガイドバー１４とこれに付属する部品からなり、図４の他、図５〜８及び図１０に詳細を示す。
図４では、ガイドバー１４中央部の軸形状及びプランジャ３７の取付け状況を示す。
【００１３】  図５は、モータ１９の取り付け状態とリールＡ２６、リールＢ２７、ストリングＡ３２及びストリングＢ３３の組込要領図を示す。
モータ座２１にモータ１９を取り付け、リーマボルト４８でガイドバー１４に仮付けする。図６の要領でストリング３２の一端をスライダ１６に通し、オーバルスリーブ３１にも図の要領で通してカシメて固定した後、他端を図６に示す所定のルートを通して図５に示すリールＡ２６の外周からオーバルスリーブ３１の格納部へ通す。（図５では、ストリングＢ３３の例が示されている。ストリングＡ３２用は図の裏面、モータ１９に面する側にある。）格納部を通した後「カシメ部詳細」に示す要領でオーバルスリーブ３１に通した後、折り返してオーバルスリーブ３１にもう一度通し、カシメて固定する。その後、ストリングＡ３２の端部をオーバルスリーブ３１の格納に支障の無い程度に少し残して切断する。
オーバルスリーブを格納部に入れ、リールＡ２６をモータ１９の軸に面取り部を合して取付ける。その状態でリールＡ２６にストリングＡ３２を巻き取る。
【００１４】  ストリングＡ３２をリールＡ２６に巻き取る前に、図６に示すストッパ３４、ストッパガイド３６、バネ３５、プーリ１８及びその他ピン類４９、５４の取付けを完了し、ストリングＢ３３の一端もスライダ１６への取付けを完了し所定のルートを通して図５での作業ができるようにしておく。
【００１５】  図５で、ストリングＢ３３の他端をリールＢ２７の外周からオーバルスリーブ３１格納部に通し、ストリングＡ３２と同様にカシメた後オーバルスリーブ３１を格納部に納め、リールＢ２７をリールＡ２６の軸に取付け、ストリングＢ３３を巻き取る。
【００１６】  ストリングＢ３３を巻き取った後、適度な張りが得られる位置でリールＡ２６とリールＢ２７のスプリングピン２９用穴を合せ、３本のスプリングピン２９が隣り合わせにならない程度に、可能であれば等分ピッチに配置して挿入する。
【００１７】  マエイタ２２を取り付ける前に、方向切替用スイッチ７１を取付け、モータ１９と共に電気配線を完了しておく。
【００１８】  リールＡ２６、リールＢ２７のセット完了後、スペーサ２８をリールＡ２６の軸に取付け、リーマボルト４８を緩めて、ブッシュ３０を挿入したマエイタ２２をリールＡ２６の軸に合して取付ける。リーマボルト４８固定後、ヨコイタＡ２３、ヨコイタ２４、シタイタ２５を取付ける。
【００１９】  図６で、カバー１５を取り付けた後、指標１７を取り付ける。
【００２０】  指標１７の移動方向の切替えは、図１の要領で水平左右方向及び右（左）斜め上方から左（右）斜め下方方向のトレーニングでアゴ受け４１を利用する時には脚部１上部に設置した操作箱６６上の方向切替スイッチ７１を使用し（図９参照）、図２，３で示す目線の上下方向及び遠近方向のトレーニングでは．モーター座２１に取り付けた方向切替スイッチ７１を使用して行う（図１０参照）。（指標の移動する方向とスイッチを倒す方向を合わすことができる。）
【００２１】  指標１７の動く速さはスピード調整つまみ７０で調整可能であり、移動方向の反転も指標を見ながら、任意の位置で行うことができる。
【００２２】  図７に示すように、ガイドバー１４上部にはカバー１５設け、上面には、長手方向に左右対称で各２本ずつ両端までの細い溝を設け、また、図２に示す目線の上下方向のトレーニングでの便宜のため、ガイドバー中央より若干上方向付近で左右各２本の縦線の外側に、縦線に直行する短線を設ける。目線の上下方向のトレーニングでは、人の眼の構造上、顔を起こさなければすぐに指標が見えなくなってしまうが、前述の短線は、顔の起き上がりを止める目安にすることと同時に、左右の眼の見え方のバランス確認及びアンバランス修正トレーニングの為に利用する。
【００２３】  指標１７の構造は、視力の回復過程で、鮮明に見えなかったものが徐々に見えてくる喜びを味わえるよう、図８に示すごとく下部の円筒部１７−１には大きめ（０．４ｍｍ程度）の水平の縞模様を、心棒１７−２の外表面には細かめの水平縞模様を、先端部１７−３には上下部が多面体で中央部に細い縦線模様を有する構造とした。また、指標下部円柱部１７−１は緑色、心棒１７−２は金また銀色、先端部１７−３の色は赤を基本色とする。
【００２４】  図１１に回路図を示す。本装置では、患者自体が主体的に行動するため、特別な自動装置は必要としない。（ただ、やり過ぎを防止するため、将来的には往復のカウント表示と要すれば警報装置を取り付ける。）電源として電池（ＤＣ１２Ｖ）の使用も可能であるが、現段階では電池の寿命を考えると家庭のＡＣ１００Ｖ電源のコンセントからＡＣ／ＤＣコンバータを利用して供給する方がベターである。
【発明の効果】
【００２５】  本発明は、一定区間を往復移動する指標を目線で追うだけで、左右・斜め上下・目線の上下・遠近方向といった、日常の眼球の動きのほぼ全方向に対し、定量的な反復運動による眼筋のトレーニングを簡単に実施できるようにしたもので、持ち運びが可能なため、電源があれば、いつでもどこでも自分の好きなときにトレーニングが可能になる。また、低下した視力の回復トレーニングだけでなく、眼を酷使する職業関係者の視力低下を予防するトレーニング装置としても活用することができる。
本装置が社会的に広く普及することになれば、産業に与える効果も大きいものが予想される。
【図面の簡単な説明】
【図１】「外形図。左右水平、斜め上下方向の眼筋トレーニング時の使用方法を示す。」
【図２】「外形図。目線の上下方向の眼筋トレーニング時の使用方法を示す。」
【図３】「外形図。遠近方向の眼筋トレーニング時の使用方法を示す。」
【図４】「組立断面図」
【図５】「モーター駆動部詳細組立断面図」
【図６】「ガイドバー各部断面詳細図」
【図７】「カバー詳細図」
【図８】「指標詳細外形図」
【図９】「脚部平面及び操作箱外観を示す。」
【図１０】「モーターカバー横の方向切替スイッチの配置を示す。」
【図１１】「回路図」
【図１】
2005329185.tif 000003
【図２】
2005329185.tif 000004
【図３】
2005329185.tif 000005
【図４】
2005329185.tif 000006
【図５】
2005329185.tif 000007
【図６】
2005329185.tif 000008
【図７】
2005329185.tif 000009
【図８】
2005329185.tif 000010
【図９】
2005329185.tif 000011
【図１０】
2005329185.tif 000012
【図１１】
2005329185.tif 000013
【手続補正書】
【提出日】平成16年8月27日(2004.8.27)
【手続補正１】
【補正対象書類名】特許請求の範囲
【補正対象項目名】全文
【補正方法】変更
【補正の内容】
【特許請求の範囲】
【請求項１】
シーソーのように垂直面内で角度変更可能なガイドバー上に支点台等の静的位置から電動機による動力伝達を受けて往復移動する指標を備え、１．左右水平方向、２．右斜め上から左斜め下方向、３．左斜め上から右斜め下方向、４．目線の上下方向、５．遠近方向の各方向に対する眼筋トレーニングを可能ならしめることを特徴とする視力回復装置。
【請求項２】
請求項1の動力源である電動機を、支点台等の静的位置でなくシーソーのように角度変化するガイドバー部（動的位置）に直付けした、眼筋トレーニングに対して請求項1と同等の特徴を有する装置。
【請求項３】
ポータブルで卓上タイプとして利用することを特徴とする請求項１及び請求項２の装置。
【請求項４】
請求項３の卓上タイプの構造から脚部や支柱部及び受け台を取り去り、支点台下部に握り部を設けて水平面内の回転機能を握り部を持ち替えることで補うハンディータイプの装置で、請求項1で述べるところの各方向に対する眼筋トレーニングを可能ならしめる装置。
【手続補正２】
【補正対象書類名】明細書
【補正対象項目名】全文
【補正方法】変更
【補正の内容】
【発明の詳細な説明】
【技術分野】
【０００１】
この発明は、眼筋の機能の衰えにより視力が低下した人の視力回復トレーニング装置に関するものである。
【背景技術】
【０００２】
これまでの視力回復トレーニング装置の構造を見ると、遠近方向のトレーニングが主体となっており、眼筋の中でも内眼筋の毛様体筋の調節機能回復にねらいが絞られている。また、トレーニングに際し、患者は装置が設置されている特定の場所に出向いて、患者と検査者という関係の中で訓練が行われるので、必然的に時間と場所と使用上の制約を受け
る。
【０００３】
【特許文献１】特開昭６０−０４８７４３号公報
【特許文献２】特開平６−３３９５０１号公報
【特許文献３】特開２００１−６１９１７号公報
【発明の開示】
【発明が解決しようとする課題】
【０００４】
眼球自体には視力調整機能の低下以外に特別な疾患も無く、眼科に行けば視力検査で適当な度のめがねを勧められるだけで、肝心の視力回復の為の治療が得られない。
昨今特別な施設に行けば、それなりのトレーニングを受けることも可能であるが、なかなか時間的な問題や経済的な問題で継続利用が困難であったり、あるいは最初から躊躇してあきらめる。このことは発明者自身の体験でもあり、今回の考案を申請するに至った動機でもある。
【０００５】
発明者は、例えば、肩の筋肉が凝ってくると筋肉自体の伸びが悪くなり腕や首の動きが妨げられることがあるのと同じように、外眼筋の硬直化もなにがしか視力に悪影響を与えるのではないだろうか、との疑問を持っており、従って、課題として次の２点を挙げる。
１．  視力回復トレーニングの対象として、外眼筋（上・下直筋、内・外側直筋、上・下      斜筋）の運動機能にも着目し、これら外眼筋の硬直化をほぐすことも兼ねたトレー      ニング装置ができないか？
２．  自宅等でいつでも自分の好きな時に簡単に利用できる装置ができないか？
【課題を解決するための手段】
【０００６】
支点台に支持され、正面垂直面内をシーソーのように動かすことが可能なガイドバーに往復移動する指標を備え、ガイドバー手前のアゴ受けに顎を乗せ、顔が左右に振れないよう自己チェックのために設けた鼻当てに鼻先を当てて移動する指標を目線で追うことによ
り、１．左右水平方向、２．右斜め上から左斜め下方向、３．左斜め上から右斜め下方向のトレーニングを可能とし、更に、支点台やアゴ受け用の受け台を水平面内で回転可能な構造（便宜上９０度範囲で制限を設ける。）にすることで、ガイドバーを適度に傾けた状態で  ４．目線の上下方向  のトレーニングができる。
【０００７】
これらにより、外眼筋（内・外側直筋、上・下斜筋、上・下直筋）に対して定量的な反復運動を与えられるトレーニング装置とすることができる。
【０００８】
このとき同時に内眼筋である毛様体筋もトレーニングしているわけであるが、ガイドバーを水平にし（水平は必要条件ではないが、表現を図面に合せる。）、ガイドバー端部が直接目に当たる危険を防止するため端部に鼻を当てて相対位置を維持しつつ目線で指標を追うことにより、特別の眼支持部材を必要とすることもなく  ５．遠近方向  のトレーニングが可能であり、こうすることで毛様体筋に直接的に定量的反復運動を与えられる。
【０００９】
指標の移動用駆動装置には可逆回転可能な減速装置内蔵型小型電動機（以下「モータ」と称す）を使用する。モータの取付けは支点台等の静的位置に取付ける方法とガイドバー側面（静的位置に対して動的位置）に直付けする方法がある。
【００１０】
指標を取付けるスライダを牽引するストリングには細くて強靭で弾力性に富んだ材料が望ましく、バトミントン専用のストリングを採用する。ストリングの取付法はスライダ側とリール側の両端部にカシメ用のスリーブを利用してカシメで固定する方法を採用する。ストリングの張りは２個のリールを同一回転軸の下に組み合わせて位相を違えて巻き取ることで、弛みを排除できるだけでなく適度な張りを得ることができる。経年的なゆるみが発生しても、２個のリールの相対的位置を決定付けている複数のスプリングピンを抜き取
り、ストリングを一方のリールに巻き取って弛みの解消と適度な張りを与えた後、再度挿入することで、調整が可能である。
【００１１】
利用者の身長の違いを考えて装置の支柱部をレベル調整可能な構造とする。
【００１２】
ガイドバーの長さは卓上でシーソーのように使用することを考慮し、１ｍ未満を採用す
る。更に長いガイドバーとする場合は、装置を床から立てるスタンド型にすることで可能である。
【００１３】
ガイドバーの長さが短い分、指標の形やガイドカバー表面に細い線を入れる等で、視力低下の程度が軽く短い長さでは頼りないと感じる人にもトレーニングの意欲が引き出せるよう配慮する。
【発明の効果】
【００１４】
本発明は、一定区間を往復移動する指標を目線で追うことにより、左右・斜め上下・目線の上下・遠近方向といった、日常の眼球の動きのほぼ全方向に対して定量的な反復運動を与え、眼筋トレーニングを簡単に実施できるようにしたもので、持ち運びが可能なため、電源があれば、いつでもどこでも自分の好きなときにトレーニングができる。
【００１５】
また、低下した視力の回復トレーニングだけでなく、眼を酷使する職業関係者の視力低下を予防するトレーニング装置としても活用することができる。
【００１６】
本装置が社会的に広く普及することになれば、産業に与える効果も大きいものが予想される。
【実施例１】
【００１７】
本装置の外形図を図１〜図３に示す。本装置の使用法は、１．左右水平方向、２．右斜め上から左斜め下方向、３．左斜め上から右斜め下方向の各トレーニングを行うときには、図１（ｂ）の要領でアゴ受け４１に顎を乗せ、ガイドバー１４を所定の角度位置に配置して行う。４．目線の上下方向のトレーニングはガイドバー１４を適度に傾けた状態で、受け台１０を支点台１１ごと９０度回わして（図２（ａ）の状態）、図２（ｂ）の要領で行い、５．遠近方向は図３の要領で行う。
【００１８】
目線の上下方向および遠近方向のトレーニングでは、切替スイッチ７１の操作のため同スイッチを取付けたスイッチホルダ９０を手前側に引いて行う。（図１０参照）
【００１９】
本発明の主な構成は、脚部、支柱部、受け台部、ガイドバー部からなり、以下に実施例１の構成の詳細について記述する。
【００２０】
脚部には、図４及び図９に示すように、脚１の下には装置を水平に設置するためのアジャスタ４４を備え、脚１に埋め込まれたナガナット４３との組合せで装置設置時の傾きの調整ができる。装置を水平に設置することは、遠近方向のトレーニングにおいてカバー上面の見え具合や指標の垂直姿勢を確保し左右の眼の負担のバランスを取るために都合がよ
い。
【００２１】
脚１中央部には下部支柱２を取り付けるための座を有し、中心部及び後方には電気ケーブル配線を通すための空間を有す。トレーニング中は装置を抱きかかえるような体勢となるため、脚１後方上面に、操作箱６６を取り付ける。トレーニング中は指標１７を見ながら右手で移動方向切替のための切替スイッチ７１を、左手でスピード調整７０のつまみを必要に応じて操作できる。
【００２２】
支柱部は、椅子に着席した状態でトレーニングが楽にできるよう、図４に示すように、使用者の身長に応じて受け台１０のレベル調整が可能な構造とする。組立要領を以下に述べる。
【００２３】
案内キー７の下側の穴にスプリングピン７８を挿入する。案内キーホルダー７９のスプリングピン７８用溝のある端面を下にして、下面側から案内キー７をキー溝に挿入し、スプリングピン７８を案内キーホルダ７９の溝に合致させる。案内キー７の落ち止めのため上方の穴にスプリングピン４２を挿入する。
【００２４】
下部支柱２の下側からスプリングピン７８用の溝に合して案内キー７及び案内キーホルダー７９を挿入する。案内キーホルダ外周には鉢巻上の凸部を有し、下部支柱２側の穴に設けた凹部（リング状の溝）に押込むことで取付けが完了する。
【００２５】
下部支柱２のフランジ部を脚１の取付座にスプリングピン７８の長手方向を脚１の前後方向に合して挿入し、ボルトＡ４５、ナット５０及びバネザガネ５１を用いて取付ける。
【００２６】
ロックナット８に上部支柱３を挿入し、押えネジ４、プッシュリング５、ロックリング６も上部支柱３にあらかじめ取り付け、案内キー７をガイドにして下部支柱２に挿入し、特
殊スパナ１０１を用いて押えネジ４を締付け、任意のレベルで固定する。（仮締め。最終
使用段階でレベル再調整。）
【００２７】
プッシュリング５の上部には３箇所、等分ピッチでスリットを設け、材料の弾性を利用して押えネジ４の穴にあらかじめ取り付けておく。押えネジ４を緩める際には自動的にプッシュリング５も引き上げられる構造とする。
【００２８】
上部支柱３の内部は、案内キー７及び電気ケーブル配線のため中空とする。
【００２９】
上部支柱３のトップには受け台１０の水平回転角度を９０度に制限するための爪を設け
る。また、レベル調整可能な範囲の軸外形部にはわずかにテーパを設け押えネジ４を緩めても即座にストンと落ちないよう配慮する。
【００３０】
受け台部は図４に示すように、受け台１０の下面には接続座９を有し、支点台１１と共にボルトＢ４６で３枚締めする。接続座９には結合用ネジを設け、ロックナット８で上部支柱３と接続する。
【００３１】
接続座９の下面には、９０度回転位置で上部支柱３の爪を受け止める構造的なストッパを設ける。ロックナット８を締付けてもストッパ部下面と上部支柱３の上部合せ面との間はルーズな締りで回転可能な状態となるよう寸法管理された構造とする。
【００３２】
上面には支点台１１の他、アゴ受け４１、軸受Ａ１２、軸受Ｂ１３、ガイドバー１４の角
度割出し用リテイナプレート３８、鼻当て４７及びモータ１９とその動力伝達機構（図５参照）を備える。
【００３３】
アゴ受け４１と鼻当て４７は自由に取外し可能とする。アゴ受け４１は数種類の高さのものをセットにし、レベル調整時必要に応じ単個あるいは複数個組み合わせて使用する。アゴ受け４１には、着脱可能なクッション５７が取付けられ、トレーニング中のアゴ部の負担を軽減する。アゴ受け交換時には取外して新しいアゴ受けのトップに再装着する。鼻当て４７も数種類の長さのものを用意し、指標１７との最短距離を視力に応じて選択できるようにする。
【００３４】
リテイナプレート３８により、ガイドバー１４の傾きを１５°ピッチで、−６０°〜０°〜＋６０°に角度設定ができる。
【００３５】
図５に示すように、支点台１１の背面にはモータ座２８用の取付け座が一体となってい
る。モータの回転は複数の歯車によってガイドバー１４の回転軸中心部を経てリールＡ
６４に伝達される。
【００３６】
受け台１０の側面にはスイッチホルダー９０が取り付けられ、目線の上下方向及び遠近方向のトレーニングの際には９０度開いてスイッチホルダ９０に設けた切替スイッチ７１を操作する。（図２，３，１０参照）
【００３７】
受け台１０と支点台１１の中心部及び支点台１１の背面にも電気ケーブル配線のための穴を設ける。
【００３８】
ガイドバー部は、ガイドバー１４とこれに付属する部品からなり、図４、図５〜８に詳細を示す。
【００３９】
図４にガイドバー１４中央部の回転伝達のための歯車機構及びプランジャ３７の取付け配置状況を示す。
【００４０】
図５はリールＡ６４、リールＢ６５、ストリングＡ９５及びストリングＢ９６の組込要領と歯車列の配置及びプランジャ３７のバネ力により支点台１１の壁面に押し付けられているガイドバー１４の側面接触部の形状と６０度傾けたときの支点台壁面との相対位置関係を示す。
【００４１】
以下に回転伝達機構部の組込要領及びストリングの取付要領を述べる。
【００４２】
ガイドバー１４はまだ軸受Ａ１２及び軸受Ｂ１３に組み込まれる前の状態にある。ガイドバー１４のモータ側軸に玉軸受Ａ８８（２個）を両側から挿入する。取付部入口側は軸受外径よりも内径を小さくした凸部を周上等分ピッチで複数個設け、材料の弾性を利用して玉軸受Ａ８８を押込んだ後は玉軸受Ａ８８の抜け止として利用する。
【００４３】
平歯車Ｄ８６用の玉軸受Ａ８８（２個）及び玉軸受Ｂ８９も同様に取付ける。
【００４４】
平歯車Ｂ８４と平歯車Ｃ８５を２個の玉軸受Ａ８８を介して組込む。平歯車Ｃ８５は平歯車Ｂ８４の面取りした軸断面の形状に合うよう挿入穴の位置を合せて組込む（平歯車Ｃ
８５側には指が入らないので専用の組込要具を用いる）。
【００４５】
平歯車Ｄ８６を玉軸受Ａ８８に組込む。
【００４６】
図６の要領でストリングＡ９５の一端をスライダ１６に通し、オーバルスリーブ３１にも同図の要領で通してカシメて固定した後、他端を図６に示す所定のルートを通して図５に示すリールＡ６４の外周からオーバルスリーブ３１の格納部へ通す。（図５では、ストリングＢ９６の例が示されている。ストリングＡ９５用は図の裏面、モータ１９側にある。）格納部を通した後「カシメ部詳細」に示す要領でオーバルスリーブ３１に通した後、折り返してオーバルスリーブ３１にもう一度通し、カシメて固定する。その後、ストリングＡ９５の端部をオーバルスリーブ３１の格納に支障の無い程度にスリーブ端面から少し残して切断しオーバルスリーブを格納部に入れる（この時点ではまだ平歯車Ｅ８７は取付けない）。
【００４７】
ストリングＡ９５をリールＡ６４に巻き取る前に、図６に示すストッパ３４、ストッパガイド３６、バネ３５、プーリ１８、ピン４９と５４、スペーサリングＡ５５及びスペーサリングＢ５６の取付けを完了し、ストリングＢ９６の一端もスライダ１６への取付けを完了し所定のルートを通して上記図５での作業ができるようにしておく。
【００４８】
図５で、ストリングＢ９６の他端をリールＢ６５の外周からオーバルスリーブ３１格納部に通し、ストリングＡ９５と同様にカシメた後オーバルスリーブ３１を格納部に納め、リールＢ６５をリールＡ６４の軸に取付け、Ｅ型トメワ７３を取付ける。
【００４９】
平歯車Ｅ８７を玉軸受Ｂ８９に通し、リールＡ６４とリールＢ６５を組込む。
【００５０】
リールＢ６５にストリングＢ９６を巻き取る。必要ならリールＡ６４にもストリングＡ
９５を巻き取り、適度な張りが得られる位置で両リールのピン穴を合せてスプリングピン３０を３箇所にできるだけ等分ピッチに近くなる配置で挿入する。
【００５１】
平歯車Ｂ８４を手で回してスライダ１４がスムースに移動することを確認する。（この構造では、歯車列の中心位置間の調整はできないので、各軸受の取付穴中心の位置精度は各歯車の回転伝達機能に支障の無いよう、寸法管理する。）
【００５２】
図４の支点台側にリテイナプレート３８を取付ける。プランジャ３７をガイドバー１４に
取付後、軸部を軸受Ａ１２及び軸受Ｂ１３に挿入し、両軸受を支点台１１に取付ける。
（支点台１１の製作技術が高ければ、プランジャ３７を使用せずに支点台両側壁を材料の弾性を利用して無段階に連続角度変更できる構造とすることも可能であるが、経年的なヘタリの懸念があり、また、モータ直付けの場合はアンバランスモーメントが生じるため、プランジャ３７を利用した構造を各実施例に共通して提示）。
【００５３】
モータ座２８にモータ１９を取付け、平歯車Ａ８３をモータ１９の出力軸に取付ける。
【００５４】
モータ座２８を支点台１１の所定位置に取付、仮電気配線によりモータ１９を駆動し、スライダ１４がスムースに移動することを確認する。
【００５５】
カバー１５をガイドバー１４上面に取付け、その後、指標１７を取り付ける。
【００５６】
指標１７の移動速度はスピード調整７０で調整可能であり、移動方向の反転も指標を見ながら、切替スイッチ７１で任意の位置で行うことができる。（切替スイッチ７１を２個取付けているので、スタート時の状況によりスイッチの操作方向と指標の移動方向が異なる場合は他方のスイッチを操作して修正を行う。）
【００５７】
カバー１５の上面には、長手方向に左右対称で各２本ずつ、両端まで延びる細い溝を設
け、ガイドバー１４中央より若干上方向（目線の上下方向のトレーニング想定時）付近には左右各３本の縦線に直交する短線を設ける。これにより遠近方向及び目線の上下方向のトレーニングに便宜を図る。特に、目線の上下方向のトレーニングでは、人の眼の構造
上、顔を起こさなければすぐに指標が見えなくなってしまうが、前述の短線は、顔の起き上がりを止める位置の目安にすると共に、左右の眼の見え方のバランス確認の為にも利用することができる。（図７参照）
【００５８】
指標１７の構造は、視力の回復過程で、鮮明に見えなかったものが徐々に見えてくる喜びを味わえるよう、図８に示すごとく下部の円筒部１７−１には大きめ（０.４ｍｍ程度）の水平の縞模様を、心棒１７−２の外表面には細かめの水平縞模様を、先端部１７−３には上下部が多面体で中央部に細い縦線模様を有する構造とする。また、指標下部円柱部
１７−１は緑色、心棒１７−２は金色または銀色、先端部１７−３の色は赤色を基本色とする。
【００５９】
図２０に回路図を示す。本装置では、患者自体が主体的に行動するため、特別な自動装置は通常必要ないと考えているが、ただ、やり過ぎ防止や電源切り忘れによるモータ過熱の危険を防止するため、将来的に往復のカウント表示や電子音での警報発信、タイマーによる電源ＯＦＦとリセット機能の回路を追加したい。電源として電池（実施例の場合、ＤＣ１２Ｖ）の使用も可能であるが、現段階では電池の寿命を考えると家庭用ＡＣ１００Ｖ電源のコンセントからＡＣ／ＤＣコンバータを利用して供給する方が使い勝手が良い。
【実施例２】
【００６０】
機能的には実施例１と同じであるが、モータ１９をガイドバー７５（形状が違うので実施例１とは符号を変更。以下同様の変更あり。）に直付けした場合の例を提供する。
【００６１】
本装置の外形図を図１１〜１３に示す。本装置の使用法は実施例１に同じ。
【００６２】
目線の上下方向および遠近方向のトレーニングでは、切替スイッチ７１の操作を図１２及び１３の要領で行う。
【００６３】
本装置の構成は実施例１と同様、脚部、支柱部、受け台部、ガイドバー部からなるが、実施例１とは部分的に異なる受け台部及びガイドバー部についてのみ以下に記述する。
【００６４】
受け台部は図１４に示すように、受け台３９の下面の接続座９と支柱部との接続は実施例１と同じ。同様に上面は支点台８０、アゴ受け４１軸受Ａ９７、軸受Ｂ９８、ガイドバー７５の角度割出し用リテイナプレート３８及び鼻当て４０を備えている。
【００６５】
アゴ受け４１と鼻当て４０の役割は実施例１と同じ。また、実施例１と同様に受け台３９と支点台８０の中心部及び支点台８０の背面にも電気ケーブル配線のために穴を設てい
る。
【００６６】
ガイドバー部は、ガイドバー７５とこれに付属する部品からなり、図６〜８及び図１４、１５に詳細を示す。モータ１９はガイドバー７５にモータ座２１を介して直付けする。
【００６７】
図１４では、ガイドバー７５中央部の軸部形状及びプランジャ３７の取付け配置状況等を示す。プランジャ３７の取付配置は実施例１と同じであるが、ガイドバー反対側の上部と軸中心部には、モータ１９からの電気配線を引出す溝と穴を設けている。この配線ルートを通すことで、ガイドバー７５が揺動運動する際の電気配線の伸縮の問題を解決できる。
【００６８】
図１５は、モータ１９の取付状態とリールＡ２６、リールＢ２７、ストリングＡ３２及びストリングＢ３３の組込要領図を示す。
【００６９】
モータ座２１にモータ１９を取り付け、リーマボルト４８でガイドバー７５に取り付け
る。
図６の要領でストリング３２の一端をスライダ８１に通し、オーバルスリーブ３１にも図の要領で通してカシメて固定した後、他端を図６に示す所定のルートを通して図１５に示すリールＡ２６の外周からオーバルスリーブ３１の格納部へ通す。（図１５では、ストリングＢ３３の例が示されている。ストリングＡ３２用は図の裏面、モータ１９に面する側にある。）格納部を通した後「カシメ部詳細」に示す要領でオーバルスリーブ３１に通した後、折り返してオーバルスリーブ３１にもう一度通し、カシメて固定する。
その後、ストリングＡ３２の端部をオーバルスリーブ３１の格納に支障の無い程度に少し
残して切断し、オーバルスリーブを格納部に入れる。
【００７０】
リールＡ２６をモータ１９の軸に面取り部を合して取付ける。その状態でリールＡ２６にストリングＡ３２を巻き取る。
【００７１】
ストリングＡ３２をリールＡ２６に巻き取る前に、図６に示すストッパ３４、ストッパガイド３６、バネ３５、プーリ１８及びその他ピン類４９、５４の取付けを完了し、ストリングＢ３３の一端もスライダ８１への取付けを完了し所定のルートを通して図１５での作業ができるようにしておく。
【００７２】
図１５で、ストリングＢ３３の他端をリールＢ２７の外周からオーバルスリーブ３１格納
部に通し、ストリングＡ３２と同様にカシメた後オーバルスリーブ３１を格納部に納め、リールＢ２７を、続けてＥ型トメワ７２をリールＡ２６の軸に取付け、ストリングＢ３３を巻き取る。
【００７３】
ストリングＢ３３を巻き取った後、適度な張りが得られる位置でリールＡ２６とリールＢ２７のスプリングピン用穴を合せてスプリングピン２９を３箇所にできるだけ等分ピッチに近くなる配置で挿入する。
【００７４】
リールカバー２２をナベコネジ２３、ザガネ２４及びバネザガネ６３で取り付ける前に、方向切替用スイッチ７１を取付け、モータ１９と共に電気配線を完了しておく。電気配線は、ガイドバー７５に設けた配線用穴と溝を利用して軸中心まで通す。
【００７５】
図６で、カバー１５を取り付けた後、指標１７を取り付ける。
【００７６】
指標１７の移動方向の切替えは、図１１の要領で水平左右方向及び右（左）斜め上方から左（右）斜め下方方向のトレーニングでアゴ受け４１を利用する時には脚部１上部に設置した操作箱６６上の切替スイッチ７１を使用し（図９参照）、図１２，１３で示す目線の上下方向及び遠近方向のトレーニングでは.モータ座２１に取り付けた切替スイッチ７１を使用して行う（図１５参照）。（指標の移動する方向とスイッチを倒す方向を合わすことができ、この方が使い勝手が良い。）
【００７７】
回路図は実施例１と同じ。自動装置についての考え方と将来的な予定も同様。
【実施例３】
【００７８】
実施例１は、使用者の便を考えて脚部の位置を変えずに受け台１０を９０度回してトレーニングができる装置を提供したが、多少不便でも安いほうが良いという考え方の人のために受け台１０、接続座９及び上部支柱３を一体化して新たな受け台９９とした装置を提供する。
【００７９】
実施例１の一部を修正した実施例３の断面構造を図１６に示す。
【００８０】
使用方法はそれぞれのオリジナルとほぼ同じであるが、切替スイッチ７１の操作場所は操作台６６の１箇所のみ（切替スイッチの操作方向と指標の移動方向が常に同じ為）になること及び目線の上下方向と遠近方向のトレーニングの際に脚部ごと全体を９０度回して置き直すことが異なる。
【００８１】
図２１に回路図を示す。自動装置についての予定は実施例１と同様。
【実施例４】
【００８２】
実施例２は、実施例１と同様に使用者の便を考えて脚部の位置を変えずに受け台３９を
９０度回してトレーニングができる装置を提供したが、実施例３と同様に多少不便でも安いほうがいいという考え方の人のために実施例２の受け台３９、接続座９と上部支柱３を一体化して新たな受け台９９とした装置を提供する。
【００８３】
実施例２の一部を修正した実施例４の断面構造を図１７示す。
【００８４】
使用方法はそれぞれのオリジナルとほぼ同じであるが、実施例３と同様、切替スイッチの操作場所は操作台６６の１箇所のみになること及び目線の上下方向と遠近方向トレーニングの際に脚部ごと全体を９０度回して置き直すことが異なる。
【００８５】
図２１に回路図を示す。自動装置についての予定は実施例１と同様。
【実施例５】
【００８６】
更に便利さよりも安さを求める利用者のために、ハンディタイプを提供する。（図１８，１９参照）
【００８７】
受け台より下の部材を無くし、支点台の取り付け部を握り部に変更して新たな支点台７４とし、ガイドバー部には実施例２の形を組み合わせる。切替スイッチ７１はモータカバー８２の横のみに設ける。
【００８８】
電源ＯＮの表示灯を無用とし、電源コンセント６７とスピード調整７０及び電源ＯＮ／
ＯＦＦスイッチ６８のみを装着した操作台１００を支点台７４の背面に取付ける。
【００８９】
回路図を図２２に示す。自動装置についての予定は実施例１と同様。
【図面の簡単な説明】
【００９０】
【図１】（ａ）正面図  左右水平、斜め上下方向の眼筋トレーニングの要領図        （ｂ）側面図  左右水平、斜め上下方向の眼筋トレーニングの要領図
【図２】（ａ）正面図  目線の上下方向の眼筋トレーニングの要領図        （ｂ）側面図  目線の上下方向の眼筋トレーニングの要領図
【図３】側面図  遠近方向の眼筋トレーニングの要領図
【図４】組立断面図
【図５】（ａ）断面Ａ−Ａ、ストリングＡ，ＢとリールＡ，Ｂの関係図        （ｂ）ガイドバー中央部断面図  モータ駆動部詳細組立断面図        （ｃ）断面Ｂ−Ｂ  歯車列詳細図及び最大傾斜時の支点台とガイドバーとの位置関係を示す。
【図６】スライダとストリングＡ、Ｂの取付要領及びストリングのルート図
【図７】カバー形状詳細図
【図８】指標詳細外形図
【図９】脚部及び操作箱平面図。
【図１０】受け台部平面図（スイッチホルダの使用要領を示す。）
【図１１】（ａ）正面図  左右水平、斜め上下方向の眼筋トレーニングの要領図          （ｂ）側面図  左右水平、斜め上下方向の眼筋トレーニングの要領図
【図１２】（ａ）正面図  目線の上下方向の眼筋トレーニングの要領図          （ｂ）側面図  目線の上下方向の眼筋トレーニングの要領図
【図１３】側面図  遠近方向の眼筋トレーニングの要領図。
【図１４】組立断面図
【図１５】（ａ）ストリングＡ，ＢとリールＡ，Ｂの関係図          （ｂ）ガイドバー直付けのモータ駆動部詳細図
【図１６】組立断面図
【図１７】組立断面図
【図１８】（ａ）正面図  左右水平、斜め上下方向の眼筋トレーニングの要領図          （ｂ）側面図  左右水平、斜め上下方向の眼筋トレーニングの要領図
【図１９】（ａ）正面図            （ｂ）組立断面図
【図２０】回路図
【図２１】回路図
【図２２】回路図
【符号の説明】
【００９１】
１  脚
２  下部支柱
３  上部支柱
４  押えネジ
５  プッシュリング
６  ロックリング
７  案内キー
８  ロックナット
９  接続座
１０、３９、９９  受け台
１１、７４、８０  支点台
１２、９７  軸受Ａ
１３、９８  軸受Ｂ
１４、７５  ガイドバー
１５  カバー
１６  スライダ
１７  指標
１９  モータ
２０、８２  モータカバー
２２  リールカバー
２６、６４  リールＡ
２７、６５  リールＢ
３１  オーバルスリーブ
３２、９５  ストリングＡ
３３、９６  ストリングＢ
４０、４７  鼻当て
４１  アゴ受け
７０  スピード調整
７１  切替スイッチ
８３  平歯車Ａ
８４  平歯車Ｂ
８５  平歯車Ｃ
８６  平歯車Ｄ
８７  平歯車Ｅ
８８  玉軸受Ａ
８９  玉軸受Ｂ
９０  スイッチホルダ
【手続補正３】
【補正対象書類名】図面
【補正対象項目名】全図
【補正方法】変更
【補正の内容】
【図１】
2005329185.tif 000014
【図２】
2005329185.tif 000015
【図３】
2005329185.tif 000016
【図４】
2005329185.tif 000017
【図５】
2005329185.tif 000018
【図６】
2005329185.tif 000019
【図７】
2005329185.tif 000020
【図８】
2005329185.tif 000021
【図９】
2005329185.tif 000022
【図１０】
2005329185.tif 000023
【図１１】
2005329185.tif 000024
【図１２】
2005329185.tif 000025
【図１３】
2005329185.tif 000026
【図１４】
2005329185.tif 000027
【図１５】
2005329185.tif 000028
【図１６】
2005329185.tif 000029
【図１７】
2005329185.tif 000030
【図１８】
2005329185.tif 000031
【図１９】
2005329185.tif 000032
【図２０】
2005329185.tif 000033
【図２１】
2005329185.tif 000034
【図２２】
2005329185.tif 000035
【手続補正書】
【提出日】平成17年8月3日(2005.8.3)
【手続補正１】
【補正対象書類名】特許請求の範囲
【補正対象項目名】全文
【補正方法】変更
【補正の内容】
【特許請求の範囲】
【請求項１】
支点台に支持されてシーソーの縦揺れ運動のように垂直面内で揺動し、装置自体の構造的制限内で任意の傾き角度に設定可能なガイドバー上に電動機による動力伝達を受けて手動あるいは自動的に往復移動する指標を備え、かつ、支点台取付部材に水平面内で９０度近傍の制限つき往復回転機構、あるいは制限を設けずに自由に回転可能な機構を有して、
１．左右水平方向、２．右斜め上から左斜め下方向、３．左斜め上から右斜め下方向、
４．目線の上下方向、５．遠近方向、の５方向に対する眼筋トレーニングを可能ならしめることを特徴とする視力回復・改善の為の眼筋トレーニング装置。
【請求項２】
請求項１の装置の特徴の内、水平面内での制限付きあるいは制限を設けない回転機構を有せず、装置全体を９０度近傍回転して置き直したりあるいはトレーニング者自身が９０度位置を移動することにより、請求項１で述べるところの５方向に対して同等の眼筋トレーニングを可能ならしめる装置。
【請求項３】
請求項２の構造から軽量化のため脚部や支柱部及び受け台を取り去り、支点台下部に握り部を設けて、水平面内での回転機能に対しては握り部を持ち替えることで賄うハンディタイプの装置で、請求項1で述べるところの５方向に対する眼筋トレーニングを可能ならしめる装置。
【手続補正２】
【補正対象書類名】明細書
【補正対象項目名】全文
【補正方法】変更
【補正の内容】
【発明の詳細な説明】
【技術分野】
【０００１】
この発明は、眼筋の機能の衰えにより視力が低下した人の視力回復・改善の為のトレーニング装置に関するものである。
【背景技術】
【０００２】
これまでの視力回復トレーニング装置の構造を見ると、遠近方向のトレーニングが主体となっており、眼筋の中でも内眼筋の毛様体筋の調節機能の回復にねらいが絞られている。また、トレーニングに際し、トレーニングを受ける者は装置が設置されている特定の場所に出向いて、患者と検査者という関係の中で訓練が行われるので、必然的に時間と場所と使用上の制約を受ける。
【０００３】
【特許文献１】特開昭６０−０４８７４３号公報
【特許文献２】特開平６−３３９５０１号公報
【特許文献３】特開２００１−６１９１７号公報
【発明の開示】
【発明が解決しようとする課題】
【０００４】
眼球自体には視力調整機能の低下以外に特別な疾患も無く、眼科の診察を受ければ視力検査をして適当な度のめがねを勧められるだけで、肝心の視力回復の為の治療は施されないし、回復方策の推奨も得られない。
昨今特別な施設に行けば、それなりのトレーニングを受けることも可能であるが、なかなか時間的な問題や経済的な問題で継続利用が困難であったり、あるいは最初から躊躇してあきらめる。このことは発明者自身の体験でもあり、今回の考案を申請するに至った動機でもある。
【０００５】
発明者は、例えば、肩の筋肉が凝ってくると筋肉自体の伸びが悪くなり腕や首の動きが妨げられることがあるのと同じように、外眼筋の硬直化もなにがしか視力に悪影響を与えるのではないだろうか、との疑問を持っており、従って、課題として次の２点を挙げる。
１．  視力回復トレーニングの対象として、外眼筋（上・下直筋、内・外側直筋、上・下      斜筋）の運動機能にも着目し、これら外眼筋の硬直化をほぐすことも兼ねたトレー      ニング装置ができないか？
２．  自宅等でいつでも自分の好きな時に簡単に利用できる装置ができないか？
【課題を解決するための手段】
【０００６】
支点台に支持され、正面垂直面内をシーソーのように動かすことが可能なガイドバーに往復移動する指標を備え、その指標を目線で追うことにより、１．左右水平方向、２．右斜め上から左斜め下方向、３．左斜め上から右斜め下方向のトレーニング  を可能とし、更に、受け台を水平面内で回転可能な構造（便宜上９０度範囲で制限を設ける。）にすることで、ガイドバーを適度に傾けた状態で  ４．目線の上下方向  のトレーニングができる。
【０００７】
これらにより、外眼筋（内・外側直筋、上・下斜筋、上・下直筋）に対して定量的な反復運動を与えられるトレーニング装置とすることができる。
【０００８】
前述１.〜４．のトレーニングでは同時に内眼筋である毛様体筋もトレーニングしているわけであるが、特に毛様体筋を対象にした  ５．遠近方向  のトレーニングも、ガイドバーを水平にし（水平は必要条件ではないが、表現を申請図面に合せる。）、ガイドバー端部から往復移動する指標を追うことにより定量的反復トレーニングが可能である。このとき、ガイドバーに手を添えて行うが、顔が触れて目が直接ガイドバー端部に当たる危険を防止するため端部は丸みと鼻形に沿わせられる斜めの構造とし鼻を直に当てて相対位置を固定して行うようにする。
【０００９】
指標の移動用駆動装置には可逆回転可能な減速装置内蔵型小型電動機（以下「モータ」と称す）を使用する。モータの取付けは支点台等の静的位置に取付ける方法とガイドバー側面（静的位置に対して動的位置）に直付けする方法がある。
【００１０】
指標を取付けるスライダを牽引するストリングには細くて強靭で弾力性に富んだ材料が望ましく、バトミントン専用のストリングを採用する。ストリングの取付法はスライダ側とリール側の両端部にカシメ用のスリーブを利用してカシメで固定する方法を採用する。ストリングの張りは２個のリールを同一回転軸の下に組み合わせて位相を違えて巻き取ることで、弛みを排除できるだけでなく適度な張りを得ることができる。経年的なゆるみが発生しても、２個のリールの相対的位置を決定付けている複数のスプリングピンを抜き取
り、ストリングを一方のリールに巻き取って弛みの解消と適度な張りを与えた後、再度挿入することで、調整が可能である。
【００１１】
利用者の身長の違いを考えて装置の支柱部をレベル調整可能な構造とする。
【００１２】
ガイドバーの長さは、卓上でシーソーのように傾けて使用することから構造的に１ｍ未満が適当であるが、装置を床から立てるスタンド型にすることで更に長いガイドバーとすることも可能である。しかしながら、前述１．〜４．のトレーニングではガイドバーをむやみに長くしても費用対効果は小さいと考える。動態視力の訓練用には有効な手段ともなりうるが、本提案の趣旨と異なる。
【００１３】
ガイドバーの長さが短い分、指標の形やガイドカバー表面に細い線を入れる等で、視力低下の程度が軽く短い長さでは頼りないと感じる人にもトレーニングの意欲が引き出せるよう配慮する。
【発明の効果】
【００１４】
本発明は、一定区間を往復移動する指標を目線で追うことにより、左右・斜め上下・目線の上下・遠近方向といった、日常の眼球の動きのほぼ全方向に対して定量的な反復運動を与え、眼筋トレーニングを簡単に実施できるようにしたもので、持ち運びが可能なた
め、電源があれば、いつでもどこでも自分の好きなときにトレーニングができる。
【００１５】
また、低下した視力の回復・改善の為のトレーニングだけでなく、眼を酷使する職業関係者の視力低下を予防するトレーニング装置としても活用することができる。
【００１６】
本装置が社会的に広く普及することになれば、産業に与える効果も大きいものが予想される。
【実施例１】
【００１７】
本装置の外形図を図１〜図３に示す。本装置の使用法は、１．左右水平方向、２．右斜め上から左斜め下方向、３．左斜め上から右斜め下方向の各トレーニングを行うときに
は、図１（ｂ）の要領でクッション５７に顎を乗せ、ガイドバー１４を所定の角度に配置して行う。指標１７は電源を入れると自動的に往復移動を行うので、特に手動で反転させる必要がなければ、両手はグリップ９１を握って行う。４．目線の上下方向のトレーニングはガイドバー１４を適度に傾けた状態で、受け台１０を支点台１１ごと９０度回わして（図２（ａ）の状態）、図２（ｂ）の要領でガイドバー１４を最大に傾け片手を下端に添え、鼻先が指標に接触しない程度に顔をガイドバー１４と平行になるように近づけて行
い、５．遠近方向は図３の要領で片手をガイドバー１４に添えて行う。
【００１８】
本発明の主な構成は、脚部、支柱部、受け台部、駆動用モータ部及びガイドバー部からなり、以下に実施例１の構成の詳細について記述する。
【００１９】
脚部には、図４及び図９に示すように、脚１の下には装置を水平に設置するためのアジャスタ４４を備え、脚１に埋め込まれたナット４１及びナガナット４３との組合せで装置設置時の傾きの調整ができる。
【００２０】
脚１中央部には下部支柱２を取り付けるための座を有し、中心部及び前方には電気配線のための空間を有す。トレーニング中は装置を抱きかかえるような体勢となるので楽な姿勢でトレーニングができるよう脚１後方にグリップ９１を設けた。脚１前面上部に操作箱
６６を取り付ける。
【００２１】
支柱部は、トレーニング者の身長の違いにも対応できるよう、図４に示すように、下部支柱２と上部支柱３に分け、上部支柱３を上下にスライドさせることで受け台１０のレベル調整が可能な構造とする。支柱部の組立要領・構造を以下に述べる。
【００２２】
下部支柱２のフランジ部を脚１の取付座に配線用穴が前方に来るよう挿入し、ボルトＡ４５、ナット５０及びバネザガネ５１を用いて取付ける。
【００２３】
ロックナット８に上部支柱３を挿入し、押えネジ４、プッシュリング５、ロックリング６も上部支柱３にあらかじめ取り付け、下部支柱２内面の凸部と上部支柱３外面の溝が合うようにして上部支柱３を挿入する。特殊スパナ１０１を用いて押えネジ４を締付け、
ロックリング６をプッシュリング５で押さえつけて上部支柱３を任意のレベルで固定す
る。（仮締め。最終使用段階でレベル再調整。）
【００２４】
プッシュリング５の上部には３箇所、等分ピッチでスリットを設け、材料の弾性を利用して押えネジ４の穴にあらかじめ取り付けておく。押えネジ４を緩める際には自動的に
プッシュリング５も引き上げられる構造とする。
【００２５】
上部支柱３の内部は、電気配線及び質量軽減のため中空とする。
【００２６】
上部支柱３のトップには受け台１０の水平回転角度を９０度に制限するための爪を設け
る。また、レベル調整可能な範囲の軸外径部にはわずかにテーパを設け押えネジ４を緩めても上部支柱３が簡単に落下しない構造とする。
【００２７】
受け台部は図４に示すように、受け台１０、接続座９、クッション５７及び支点台部で構成される。取付時は接続座９及び支点台１１と共にボルトＢ４６、ナット５０及びバネザガネ５１で３枚締めする。３枚締めは、支点台１１下面から受け台１０の中心穴を通す電気配線完了後に行う。接続座９には結合用ネジを設け、ロックナット８で上部支柱３と接続する。
【００２８】
接続座９の下面には、０度と９０度回転位置で上部支柱３の爪を受ける構造的なストッパを設ける。ロックナット８を締付けてもストッパ部下面と上部支柱３の上部合せ面との間はルーズな締りで回転可能な状態となる構造とする。
【００２９】
クッション５７は着脱可能で、トレーニング中のアゴ部の負担を軽減する。
【００３０】
支点台部は支点台１１の他、軸受Ａ１２、軸受Ｂ１３、角度割出用リテイナプレート
３８、鼻当て４７及び電気配線用カバー７８からなる。
【００３１】
軸受Ａ１２及び軸受Ｂ１３はガイドバー１４の回転中心部に取付けられた軸部を保持する機能を持ち、ガイドバー１４横方向から軸に装着し、支持台１１の上面に取付ける。
軸受１２の軸受部下面には穴を設けてマイクロスイッチからの電気配線を通す構造としている。
軸受Ａ１２及び軸受Ｂ１３の取付けは、ガイドバー部の組立完了後に行う。
【００３２】
鼻当て４７は着脱可能とする。ガイドバー部取付け後に取付ける。
【００３３】
リテイナプレート３８を取付ける。
リテイナプレート３８には等分ピッチでプランジャ３７のボールを受け止める為の穴を設けており、ガイドバー１４の傾きを１５°ピッチで、−６０°〜０°〜＋６０°に角度設定ができる。（最大可動位置６５度では手を添えて保持する。）
【００３４】
支点台１１背面にはモータ座２８用の取付け座を設け、一体構造とする。
【００３５】
支点台１１の前・後面及び下面には電気配線のための溝を設けており、前面からはガイドバー１４に取付けられたマイクロスイッチからの電気配線、後面からはモータ１９からの電気配線を通し、配線終了後には配線カバーＡ７８を取付ける。
【００３６】
駆動用モータ部は、図４、５に示すように、モータ１９、モータ座２８、平歯車Ａ８３及びモータカバー２０から成る。モータ１９の取り付けは、先にモータ１９をモータ座２８に取付け、その後支点台１１のモータ座取付け位置に仮締めする。ガイドバー部に取付けられる歯車との最終調整後に本締めを行う。
【００３７】
ガイドバー部は、ガイドバー１４とこれに付属する部品からなり、図４、図５〜８に詳細を示す。
【００３８】
図４にガイドバー１４中央部の回転伝達のための歯車機構及びプランジャ３７の取付け配置状況を示す。
【００３９】
図５はリールＡ６４、リールＢ６５、ストリングＡ９５及びストリングＢ９６の組込要領と歯車列の配置及びプランジャ３７のバネ力により支点台１１の壁面に押し付けられているガイドバー１４の側面接触部の形状と最大振り角度６５度傾けたときの支点台壁面との相対位置関係を示す。
【００４０】
以下に回転伝達機構部の組込要領及びストリングの取付要領を述べる。
【００４１】
ガイドバー１４はまだ軸受Ａ１２及び軸受Ｂ１３に組み込まれる前の状態にある。ガイドバー１４のモータ側軸に針状ころ軸受５８を挿入する。
【００４２】
平歯車Ｄ８６用の玉軸受Ａ８８（２個）と平歯車Ｅ８７用の玉軸受Ｂ８９と玉軸受Ｃ
９０も同様に取付ける。
【００４３】
平歯車Ｂ８４の軸部にスペーサ９４を挿入した状態で、針状ころ軸受５８に通し、平歯車Ｃ８５を組込む。平歯車Ｃ８５組込時には、平歯車Ｂ８４の面取りした軸断面の形状に合うよう挿入穴の位置を合せて組込む（平歯車Ｃ８５側には指が入らないので専用の組込要具を用いる）。
【００４４】
平歯車Ｄ８６を玉軸受Ａ８８に組込む。
【００４５】
ストリングＡ９５とストリングＢ９６の取付けは、あらかじめ、それぞれのストリングを所定の長さに切り、一端を図５に示す要領でそれぞれリールＡ６４、リールＢ６５の外周からオーバルスリーブ３１の格納部に通し、「カシメ部詳細」に示す要領でオーバルスリーブ３１に２度通した後、カシメて固定する。
【００４６】
ストリングＡ９５とストリングＢ９６他端は、図６に示す要領でスライダ１６の引っ掛け部に掛ける輪を作り、オーバルスリーブ３１に３度通す形でカシメて固定する。
【００４７】
ストリングＡ９５、ストリングＢ９６を取り付ける前に、図６に示すマイクロスイッチ３４、マイクロスイッチ押え３６、プーリ１８及びピン４９を取付ける。
【００４８】
図６の要領で、ストリングＡ９５、ストリングＢ９６の輪をスライダ１６の引っ掛け部に掛け、所定のルートを通して図５に示す要領でリールＡ６４の軸にリールＢ６５を取付け、Ｅ型トメワ７３を取付ける。このときに合わしてスペーサＡ５５とピン４８、スペーサＢ５６とピン５４及びスペーサＢ５６とピン５９を取付ける。
【００４９】
平歯車Ｅ８７を玉軸受Ｂ８９に通し、リールＡ６４を通して玉軸受Ｃ９０に組込む。
【００５０】
スライダ１６を左端に移動した状態で、リールＢ６５にストリングＢ９６を巻き取り、ストリングの張りを調整する。必要ならリールＡ６４にもストリングＡ９５を巻き取り、適度な張りが得られる位置で両リールのピン穴を合せてスプリングピン３０を３箇所にできるだけ等分ピッチに近い配置で挿入する。
【００５１】
マイクロスイッチの電気配線をガイドバー１４の上面に設けた溝を通し、軸部の穴を通して外に出しておく。
【００５２】
平歯車Ｂ８４を手で回してスライダ１６がスムースに移動することを確認する。
【００５３】
プランジャ３７をガイドバー１４に取付け後、軸部を軸受Ａ１２及び軸受Ｂ１３に挿入し、両軸受を支点台１１に取付ける。軸受Ａ１２に挿入時、電気配線は軸受下部に設けた穴の内側から外に出しておく。
【００５４】
鼻当て４７を取付ける。
【００５５】
必要に応じモータ座２８の取付け位置を微調整し、リールＡ６４、リールＢ６５を手で動かして、歯車機構及びスライダ１６がスムースに回転・移動することを確認する。
【００５６】
カバー１５をガイドバー１４上面に取付け、その後、指標１７を取り付ける。
リールカバーＣ３５を取付ける。
【００５７】
電気配線を受け台１０の穴を通して支柱部内部に落としながら支点台１１を受け台１０に乗せ、受け台１０、接続座９及び支点台１１をボルトＢ４６、ナット５０及びバネザガネ５１で３枚締めする。
【００５８】
支柱部内部に落とした電気配線と操作箱の配線を結合する。配線は、受け台のレベル調整の為、調整範囲分の伸び代を十分に確保して支柱内に収納し、ボトムキャップ３９を取付ける。
【００５９】
図２０に回路図を示す。
本装置では、当初、トレーニング者自身が主体的に行動するため特別な自動装置は必要ないと考えていたが購買意欲に訴える為には自動化が必要と考え、ＩＣチップ等を利用して起動時の一定方向へ移動と折返し点での自動反転機能及び任意の位置での手動反転機能を追加し、指標の移動回数もマイクロスイッチの作動カウントを基に一定移動回数毎に２種類の電子音を奏でトレーニング種目交代の合図にする機能を追加した。
往復のカウント表示やタイマーによる電源ＯＦＦの機能は将来の課題とした。
電源として電池（実施例の場合、ＤＣ１２Ｖ）の使用も可能であるが、現段階では電池の寿命の短さを考えると家庭用ＡＣ１００Ｖ電源のコンセントからＡＣ／ＤＣコンバータを利用して供給する方が使い勝手が良いため、本回路図では無視した。
【００６０】
以下に、本実施例に示す装置の電気的特徴を述べる。
・直流電源１２Ｖで駆動する。（ＡＣ１００Ｖ電源からＡＣ／ＤＣ変換）
・照光式電源スイッチを使用。
・電源ＯＮで起動し、一定方向へ移動する。折返し点では自動反転する。手動による反転スイッチを備え、任意の位置で反転が可能。
・一定往復数ごと（マイクロスイッチの一定作動回数ごと）に２種類の電子音を奏鳴。
・スライダのスピード及びブザー音量の調整つまみを有す。
【実施例２】
【００６１】
機能的には実施例１と同じであるが、モータ１９をガイドバー７５（形状が違うので実施例１とは符号を変更。以下同様の変更あり。）に直付けした場合の例を提供する。
【００６２】
本装置の外形図を図１１〜１３に示す。本装置の使用法は実施例１に同じ。
【００６３】
本装置の構成は実施例１と同様に、脚部、支柱部、受け台部及び駆動用モータ部と一体になったガイドバー部からなる。実施例１と部分的に異なる受け台部及びガイドバー部についてのみ以下に記述する。
【００６４】
受け台部は図１４に示すように、受け台１０の下面の接続座９と支柱部との接続は実施例１と同じ。同様に上面は支点台８１、クッション５７、軸受Ａ９７、軸受Ｂ９８、ガイドバー７５の角度割出し用リテイナプレート３８及び鼻当て４０を備えている。
【００６５】
クッション５７と鼻当て４０の役割は実施例１と同じ。また、実施例１と同様に受け台１０と支点台８１の中心部及び支点台８１の前・後面にも電気配線のために溝を設けている。
【００６６】
ガイドバー部は、ガイドバー７５とこれに付属する部品からなり、図６〜９及び図
１４、１５に詳細を示す。モータ１９はガイドバー７５にモータ座２１を介して直付けする。
【００６７】
図１４では、ガイドバー７５中央部の軸部形状及びプランジャ３７の取付け配置状況等を示す。プランジャ３７の取付配置は実施例１と同じであるが、ガイドバー反対側の上部と後面及び軸中心部には、モータ１９からの電気配線を引出す溝と穴を設けている。
【００６８】
図１５は、モータ１９の取付状態とリールＡ２６、リールＢ２７、ストリングＡ３２及びストリングＢ３３の組込要領図を示す。
【００６９】
モータ座２１にモータ１９を取り付け、モータ座２１をガイドバー７５の所定位置に取り付ける。
【００７０】
ストリングＡ３２、ストリングＢ３３の取付要領はリールＡ２６がモータ軸に直付け
で支持される事になる以外基本的に実施例１と同様である。
【００７１】
回路図は実施例１と同じ。
【実施例３】
【００７２】
実施例１は、トレーニング者の便を考えて脚部の位置を変えずに受け台１０を９０度回してトレーニングができる装置を提供したが、多少不便でも安価な方が良いという人のために受け台１０、接続座９及び上部支柱３を一体化して新たな受け台９９とした装置を提供する。
【００７３】
実施例１の一部を修正した実施例３の断面構造を図１６に示す。
【００７４】
使用方法はオリジナルとほぼ同じであるが、「目線の上下方向」と「遠近方向」のト
レーニングの際に脚部ごと全体を９０度回して置き直して使用することが異なる。
【００７５】
回路図は実施例１と同じ。
【実施例４】
【００７６】
実施例２は、実施例１と同様に使用者の便を考えて脚部の位置を変えずに受け台１０を
９０度回してトレーニングができる装置を提供したが、実施例３と同様に多少不便でも安価な方が良いという人のために実施例２の受け台１０、接続座９と上部支柱３を一体化して新たな受け台９９とした装置を提供する。
【００７７】
実施例２の一部を修正した実施例４の断面構造を図１７示す。
【００７８】
使用方法はオリジナルとほぼ同じであるが、実施例３と同様、「目線の上下方向」と「遠近方向」トレーニングの際に脚部ごと全体を９０度回して置き直して使用することが異なる。
【００７９】
回路図は実施例１と同じ。
【実施例５】
【００８０】
更に便利さよりも安さを求める利用者のために、ハンディタイプを提供する。（図１８，１９参照）
【００８１】
受け台より下の部材を無くし、支点台の取り付け部を握り部に変更して新たな支点台
７４とし、ガイドバー部には実施例２の形を組み合わせる。
【００８２】
操作箱１００は支点台７４の背面に取付ける。電気的機能は他の実施例と同じである
が、取り付け場所の制約から形状を小さくした。
【００８３】
回路図は実施例１と同じ。
【図面の簡単な説明】
【００８４】
【図１】（ａ）正面図  左右水平、斜め上下方向の眼筋トレーニングの要領図        （ｂ）側面図  左右水平、斜め上下方向の眼筋トレーニングの要領図
【図２】（ａ）正面図  目線の上下方向の眼筋トレーニングの要領図        （ｂ）側面図  目線の上下方向の眼筋トレーニングの要領図
【図３】側面図  遠近方向の眼筋トレーニングの要領図
【図４】組立断面図
【図５】（ａ）断面Ａ−Ａ、ストリングＡ，ＢとリールＡ，Ｂの関係図        （ｂ）ガイドバー中央部断面図  モータ駆動部詳細組立断面図        （ｃ）断面Ｂ−Ｂ  歯車列詳細図及び最大傾斜時の支点台とガイドバーとの位置関係を示す。
【図６】スライダとストリングＡ、Ｂの取付要領及びストリングのルート図
【図７】カバー形状詳細図
【図８】指標詳細外形図
【図９】脚部及び操作箱平面図。
【図１０】受け台部平面図
【図１１】（ａ）正面図  左右水平、斜め上下方向の眼筋トレーニングの要領図          （ｂ）側面図  左右水平、斜め上下方向の眼筋トレーニングの要領図
【図１２】（ａ）正面図  目線の上下方向の眼筋トレーニングの要領図          （ｂ）側面図  目線の上下方向の眼筋トレーニングの要領図
【図１３】側面図  遠近方向の眼筋トレーニングの要領図。
【図１４】組立断面図
【図１５】（ａ）ストリングＡ，ＢとリールＡ，Ｂの関係図          （ｂ）ガイドバー直付けのモータ駆動部詳細図
【図１６】組立断面図
【図１７】組立断面図
【図１８】（ａ）正面図  左右水平、斜め上下方向の眼筋トレーニングの要領図          （ｂ）側面図  左右水平、斜め上下方向の眼筋トレーニングの要領図
【図１９】（ａ）正面図            （ｂ）組立断面図
【図２０】回路図
【符号の説明】
【００８５】
１  脚
２  下部支柱
３  上部支柱
４  押えネジ
５  プッシュリング
６  ロックリング
８  ロックナット
９  接続座
１０、９９  受け台
１１、７４、８１  支点台
１２、９７  軸受Ａ
１３、９８  軸受Ｂ
１４、７５  ガイドバー
１５  カバー
１６  スライダ
１７  指標
１９  モータ
２０、８２  モータカバー
２２  リールカバーＡ
２３  リールカバーＢ
２６、６４  リールＡ
２７、６５  リールＢ
２９，３０  スプリングピン
３１  オーバルスリーブ
３２、９５  ストリングＡ
３３、９６  ストリングＢ
３４  マイクロスイッチ
３５  リールカバーＣ
３６  マイクロスイッチ押え
３７  プランジャ
３８  リテイナプレート
３９  ボトムキャップ
４０、４７  鼻当て
４２  バランスウェイト
４３  ナガナット
４４  アジャスタ
５７  クッション
５８  針状ころ軸受
６６、１００  操作箱
６７  電源コンセント
６８  電源ＯＮ／ＯＦＦスイッチ
６９  音量調整つまみ
７０  スピード調整つまみ
７１  反転スイッチ
７８、７９、８０  配線カバー
８３  平歯車Ａ
８４  平歯車Ｂ
８５  平歯車Ｃ
８６  平歯車Ｄ
８７  平歯車Ｅ
８８  玉軸受Ａ
８９  玉軸受Ｂ
９０  玉軸受Ｃ
９１  グリップ
９２  ブザー
【手続補正３】
【補正対象書類名】図面
【補正対象項目名】全図
【補正方法】変更
【補正の内容】
【図１】
2005329185.tif 000036
【図２】
2005329185.tif 000037
【図３】
2005329185.tif 000038
【図４】
2005329185.tif 000039
【図５】
2005329185.tif 000040
【図６】
2005329185.tif 000041
【図７】
2005329185.tif 000042
【図８】
2005329185.tif 000043
【図９】
2005329185.tif 000044
【図１０】
2005329185.tif 000045
【図１１】
2005329185.tif 000046
【図１２】
2005329185.tif 000047
【図１３】
2005329185.tif 000048
【図１４】
2005329185.tif 000049
【図１５】
2005329185.tif 000050
【図１６】
2005329185.tif 000051
【図１７】
2005329185.tif 000052
【図１８】
2005329185.tif 000053
【図１９】
2005329185.tif 000054
【図２０】
2005329185.tif 000055